(57)【要約】【課題】  本発明はＬＡＮシステムのループ試験装置に関し、自装置から出力したフレームが折り返されて戻ってきた場合でも、フレームの破棄が起きないようにしたＬＡＮシステムのループ試験装置を提供することを目的としている。【解決手段】  ＬＡＮネットワークからの信号をディジタル信号に変換し、及びディジタル信号をＬＡＮネットワーク信号に変換するＰＨＹ部１と、ＬＡＮネットワークフレームの正常性をチェックするフレームチェック部２と、ＬＡＮネットワークフレーム中の宛先アドレスと発信元アドレスを入れ替える宛先／発信元アドレス入替部３と、ループ試験実行時に前記宛先／発信元アドレス入替部３でアドレスを入れ替えた信号を折り返すセレクタ部７と、信号処理ブロックとフレーム終端／フレーム生成ブロックを接続するためのバッファ部５，６とから構成される。【選択図】    図１
2005286456.tif 000002
【特許請求の範囲】
【請求項１】
ＬＡＮネットワークからの信号をディジタル信号に変換し、及びディジタル信号をＬＡＮネットワーク信号に変換するＰＨＹ部と、
ＬＡＮネットワークフレームの正常性をチェックするフレームチェック部と、
ＬＡＮネットワークフレーム中の宛先アドレスと発信元アドレスを入れ替える宛先／発信元アドレス入替部と、
ループ試験実行時に前記宛先／発信元アドレス入替部でアドレスを入れ替えた信号を折り返すセレクタ部と、
信号処理ブロックとフレーム終端／フレーム生成ブロックを接続するためのバッファ部と、
から構成されるＬＡＮネットワークシステムのループ試験装置。
【請求項２】
ＬＡＮネットワークからの信号をディジタル信号に変換し、及びディジタル信号をＬＡＮネットワーク信号に変換するＰＨＹ部と、
通常は装置内側から来る信号を選択し、ＬＡＮネットワーク側に出力を行なうが、ループ試験実行時にはＬＡＮネットワークから受信したフレームをそのまま折り返すセレクタ部と、
フレーム中の宛先アドレスと発信元アドレスを入れ替える宛先／発信元アドレス入替部と、
信号処理ブロックとフレーム終端／フレーム生成ブロックを接続するバッファ部と、
から構成されるＬＡＮネットワークシステムのループ試験装置。
【請求項３】
ＬＡＮネットワークからの信号をディジタル信号に変換し、及びディジタル信号をＬＡＮネットワーク信号に変換するＰＨＹ部と、
ＬＡＮネットワークフレームの正常性をチェックするフレームチェック部と、
通常は装置内側から来る信号を選択し、ＬＡＮネットワーク側に出力を行ない、ループ試験実行時にはＬＡＮネットワークから受信したフレームをそのまま折り返すセレクタ部と、
信号処理ブロックとフレーム終端／フレーム生成ブロックを接続するバッファ部と、
受信したフレームが自装置に必要なデータかアドレスをチェックするアドレスチェック部と、
から構成されるＬＡＮネットワークシステムのループ試験装置。
【請求項４】
ＬＡＮネットワークからの信号をディジタル信号に変換し、及びディジタル信号をＬＡＮネットワーク信号に変換するＰＨＹ部と、
ＬＡＮネットワークフレームの正常性をチェックするフレームチェック部と、
ＬＡＮネットワークより受信したフレームを格納する受信バッファ部と、
ＬＡＮネットワークへ出力するフレームを格納する送信バッファ部と、
ループ試験実行時は前記受信バッファ部内にあるユーザデータを前記送信バッファ部にデータ転送を行ない、ＬＡＮネットワークへのデータ送出を行なうセレクタ部と、
から構成されるＬＡＮネットワークシステムのループ試験装置。
【発明の詳細な説明】
【技術分野】
【０００１】
本発明はＬＡＮ（Ｌｏｃａｌ  Ａｒｅａ  Ｎｅｔｗｏｒｋ）ネットワークシステムのループ試験装置に関する。
近年、既存の回線網をＬＡＮネットワークへの置き換えが推進されており、既存の回線網と同等の障害切り分け機能が要求されている。このため、ＬＡＮネットワークにおけるループ試験機能をＬＡＮネットワーク装置に具備する必要がある。
【背景技術】
【０００２】
従来のＬＡＮネットワーク装置においては、回線障害の切り分けを行なうループ試験は、装置の送信回線を装置の受信回線に折り返していた。
従来のこの種のシステムとしては、ループ試験時にランダムパターンをイーサネット（富士ゼロックス社の登録商標）−ＨＤＳ変換装置のイーサネット側（切り分け保守地点の最遠端）で折り返し、正常性を正確に試験できるようにした技術がある（例えば特許文献１参照）。また、ブリッジ端末がブリッジ端末に接続される全てのサブネットワークへ幾つかのループ試験メッセージを送信し、サブネットワークからループ試験メッセージを受信する各ブリッジ端末がこのメッセージを全ての他の接続されたサブネットワークへ転送し、所定の時間の後にループ試験メッセージが戻らない場合にループがないことを検出するようにした技術がある（例えば特許文献２参照）。また、複数対のチャネル伝送路を有するディジタル伝送装置のループ試験システムであって、前記複数対のチャネル伝送路単位に上り下りの信号を折り返すようにした技術がある（例えば特許文献３参照）。
【特許文献１】特開２００３−１５２７４３号公報（第３頁、第４頁、図１）
【特許文献２】特開２０００−１３８７０２号公報（第３頁、第４頁、図１）
【特許文献３】特開平１１−３４０８８２号公報（第２頁、第３頁、図１）
【発明の開示】
【発明が解決しようとする課題】
【０００３】
前述した従来の技術によれば、ＬＡＮネットワークのフレームを生成する装置では、回線を折り返すと自装置で生成したフレームが自装置に折り返されて戻ってくることになり、データ処理部にてフレーム中の宛先アドレスが自装置のアドレスと異なるため、フレームを破棄し、信号が不通となる。従って、信号が折り返されて来ず、回線障害の切り分けが不可能になるという問題を生じていた。
【０００４】
本発明はこのような課題に鑑みてなされたものであって、自装置から出力したフレームが折り返されて戻ってきた場合でも、フレーム破棄が起きないようにしたＬＡＮネットワークシステムのループ試験装置を提供することを目的としている。
【課題を解決するための手段】
【０００５】
（１）請求項１記載の発明は、ＬＡＮネットワークからの信号をディジタル信号に変換し、及びディジタル信号をＬＡＮネットワーク信号に変換するＰＨＹ部と、ＬＡＮネットワークフレームの正常性をチェックするフレームチェック部と、ＬＡＮネットワークフレーム中の宛先アドレスと発信元アドレスを入れ替える宛先／発信元アドレス入替部と、ループ試験実行時に前記宛先／発信元アドレス入替部でアドレスを入れ替えた信号を折り返すセレクタ部と、信号処理ブロックとフレーム終端／フレーム生成ブロックを接続するためのバッファ部と、から構成されることを特徴としている。
【０００６】
（２）請求項２記載の発明は、ＬＡＮネットワークからの信号をディジタル信号に変換し、及びディジタル信号をＬＡＮネットワーク信号に変換するＰＨＹ部と、通常は装置内側から来る信号を選択し、ＬＡＮネットワーク側に出力を行なうが、ループ試験実行時にはＬＡＮネットワークから受信したフレームをそのまま折り返すセレクタ部と、フレーム中の宛先アドレスと発信元アドレスを入れ替える宛先／発信元アドレス入替部と、信号処理ブロックとフレーム終端／フレーム生成ブロックを接続するバッファ部と、から構成されることを特徴としている。
【０００７】
（３）請求項３記載の発明は、ＬＡＮネットワークからの信号をディジタル信号に変換し、及びディジタル信号をＬＡＮネットワーク信号に変換するＰＨＹ部と、ＬＡＮネットワークフレームの正常性をチェックするフレームチェック部と、通常は装置内側から来る信号を選択し、ＬＡＮネットワーク側に出力を行ない、ループ試験実行時にはＬＡＮネットワークから受信したフレームをそのまま折り返すセレクタ部と、信号処理ブロックとフレーム終端／フレーム生成ブロックを接続するバッファ部と、受信したフレームが自装置に必要なデータかアドレスをチェックするアドレスチェック部と、から構成されることを特徴としている。
【０００８】
（４）請求項４記載の発明は、ＬＡＮネットワークからの信号をディジタル信号に変換し、及びディジタル信号をＬＡＮネットワーク信号に変換するＰＨＹ部と、ＬＡＮネットワークフレームの正常性をチェックするフレームチェック部と、ＬＡＮネットワークより受信したフレームを格納する受信バッファ部と、ＬＡＮネットワークへ出力するフレームを格納する送信バッファ部と、ループ試験実行時は前記受信バッファ部内にあるユーザデータを前記送信バッファ部にデータ転送を行ない、ＬＡＮネットワークへのデータ送出を行なうセレクタ部と、から構成されることを特徴としている。
【発明の効果】
【０００９】
（１）請求項１記載の発明によれば、ループ試験を実行している時は、ＬＡＮネットワークフレーム中の宛先アドレスと発信元アドレスが入れ替わったフレームがネットワーク側及び装置内側に折り返されるため、送出を行なった装置は自装置へのフレームと認識し、フレーム破棄が働かず、データ処理を行なうことができる。
【００１０】
（２）請求項２記載の発明によれば、ループ試験を実行している時は、宛先／発信元アドレス入替部で宛先アドレスと発信元アドレスが入れ替わったフレームがセレクタ部にて折り返されてくるため、送出を行なった装置は自装置へのフレームと認識し、フレーム破棄は働かず、データ処理を行なうことができる。
【００１１】
（３）請求項３記載の発明によれば、通常はアドレスチェック部にて自装置へのフレームではないフレームを受信した場合に、フレーム破棄を行なうが、ループ試験実行時はセレクタ部でフレーム折り返しを行ない、アドレスチェック部にてフレーム中の発信元アドレスと自装置のアドレスが一致した場合はフレーム破棄を行なわない処理を行なうことで、通常のデータ処理を行なうことができる。
【００１２】
（４）請求項４記載の発明によれば、ユーザデータのみを折り返し、宛先アドレス及び発信元アドレスは新たに付加されるため、フレーム受信先の端末ではフレーム破棄が行なわれず、データ処理を行なうことができる。
【発明を実施するための最良の形態】
【００１３】
以下、図面を参照して本発明の実施の形態例を詳細に説明する。
図１は本発明の第１の実施の形態例を示すブロック図である。図において、１はＬＡＮネットワークからの信号をディジタル信号に変換し、及びディジタル信号をＬＡＮネットワーク信号に変換するＰＨＹ部、２はＬＡＮネットワークフレームの正常性をチェックするフレームチェック部、３はＬＡＮネットワークフレーム中の宛先アドレスと発信元アドレスを入れ替える宛先／発信元アドレス入替部、４はループ試験実行時に前記宛先／発信元アドレス入替部３でアドレスを入れ替えた信号を折り返すセレクタ部、７はループ試験実行時に前記宛先／発信元アドレス入替部３でアドレスを入れ替えた信号を折り返すセレクタ部、５，６は信号処理ブロック（フレーム処理部の左側）とフレーム終端／フレーム生成ブロック（フレーム処理部の右側）を接続するためのバッファ部である。このように構成された装置の動作を説明すれば、以下の通りである。
【００１４】
通常の使用状態では、ＬＡＮネットワークからのフレームは、ＰＨＹ部１を経てフレームチェック部２、セレクタ部２を経てバッファ部５に格納される。フレームバッファ部２に格納されたフレームは読み出されてフレーム処理部（図示せず）に入る。一方、フレーム処理部からのフレームはバッファ部６に格納される。バッファ部６に格納されたフレームは読み出されてセレクタ部７を介してＰＨＹ部１からＬＡＮネットワークに送出される。
【００１５】
ループ試験実行時には、フレーム処理部（図示せず）からのフレームは、バッファ部６に入って一時格納される。バッファ部６から読み出されたフレームは、宛先／発信元アドレス入替部３に入って宛先と発信元アドレスの入れ替えが行なわれる。宛先／発信元アドレス入替部３で宛先と発信元アドレスの入れ替えが行なわれたフレームはセレクタ部４に入る。このフレームは宛先と発信元アドレスの入れ替えが行われているので、フレームの宛先アドレスには自分のアドレスが入っている。従って、送出を行なった装置は自装置へのフレームと認識し、フレーム破棄が働かず、データ処理が行なわれる。
【００１６】
一方、ＬＡＮネットワークから装置に入力されたフレームはＰＨＹ部１を介してフレームチェック部２に入る。フレームチェック部２でフレームの正常性がチェックされたフレームは、セレクタ部４と宛先／発信元アドレス入替部３に入る。セレクタ部４はこのフレームを通さない。宛先／発信元アドレス入替部３に入ったフレームは、宛先と発信元アドレスの入れ替えが行なわれる。宛先／発信元アドレス入替部３から出力されたフレームはセレクタ部７を介してＰＨＹ部１を経てＬＡＮネットワーク側に折り返される。ＬＡＮネットワーク側では、自己が送信したフレームを受け取る。この場合において、宛先アドレスが自己のアドレスに一致しているので、フレームの破棄は働かず、データ処理が行なわれる。
【００１７】
この実施の形態例によれば、ループ試験を実行している時は、ＬＡＮネットワークフレーム中の宛先アドレスと発信元アドレスが入れ替わったフレームがネットワーク側及び装置内側に折り返されるため、送出を行なった装置は自装置へのフレームと認識し、フレーム破棄が働かず、データ処理を行なうことができる。
【００１８】
図２は本発明の第２の実施の形態例を示すブロック図である。図１と同一のものは、同一の符号を付して示す。図において、１，１２はＬＡＮネットワークからの信号をディジタル信号に変換し、及びディジタル信号をＬＡＮネットワーク信号に変換するＰＨＹ部、１０は通常は装置内側（図の左側の装置側）から来る信号を選択し、右側の装置側に出力を行なうが、ループ試験実行時には装置から受信したフレームをそのまま折り返すセレクタ部、３はフレーム中の宛先アドレスと発信元アドレスを入れ替える宛先／発信元アドレス入替部であり、バッファ部６とＰＨＹ部１２間に接続されている。５，６，８，９は信号処理ブロックとフレーム終端／フレーム生成ブロックを接続するバッファ部である。１１はＰＨＹ部１と１２間を接続するＬＡＮネットワークである。このように構成された装置の動作を説明すれば、以下の通りである。
【００１９】
通常は、バッファ部８で受けたフレームは、セレクタ部１０を介してＰＨＹ部１，ＬＡＮネットワーク１１，ＰＨＹ部１２へと送信される。ＰＨＹ部１２を経たフレームは、バッファ部５へ格納される。一方、バッファ部６に格納されたフレームは読み出されて宛先／発信元アドレス入替部３に入り、宛先アドレスと発信元アドレスの入れ替えが行なわれる。該宛先／発信元アドレス入替部３の出力はＰＨＹ部１２に入り、ＬＡＮネットワーク１１を介してＰＨＹ部１を経てセレクタ部１０に入る。セレクタ部１０で折り返されたフレームは、ＰＨＹ部１，ＬＡＮネットワーク１１，ＰＨＹ部１２を経てバッファ部５に格納される。
【００２０】
この実施の形態例によれば、ループ試験を実行している時は、宛先／発信元アドレス入替部３で宛先アドレスと発信元アドレスが入れ替わったフレームがセレクタ部１０にて折り返されてくるため、送出を行なった装置は自装置へのフレームと認識し、フレーム破棄は働かず、データ処理を行なうことができる。
【００２１】
図３は本発明の第３の実施の形態例を示すブロック図である。図１，図２と同一のものは、同一の符号を付して示す。図において、１はＬＡＮネットワークからの信号をディジタル信号に変換し、及びディジタル信号をＬＡＮネットワーク信号に変換するＰＨＹ部、１３はＬＡＮネットワークフレームの正常性をチェックするフレームチェック部、１８は通常は装置内側（図の左側装置側）から来る信号を選択し、右側装置側に出力を行ない、ループ試験実行時にはＬＡＮネットワークから受信したフレームをそのまま折り返すセレクタ部、５，６は信号処理ブロックとフレーム終端／フレーム生成ブロックを接続するバッファ部、１４は受信したフレームが自装置に必要なデータかどうかをアドレスをチェックすることにより調べるアドレスチェック部である。このように構成された装置の動作を説明すれば、以下の通りである。
【００２２】
ＬＡＮネットワークからのフレームはＰＨＹ部１，セレクタ部１８，フレームチェック部１３，バッファ部５を介してデータ処理部（図示せず）に与えられる。アドレスチェック部１４は、受信したフレームが自装置に必要なデータかどうかをアドレスをチェックすることにより調べる。
【００２３】
ここで、ループ試験実行時には、バッファ部６から読み出されたフレームは、セレクタ部１８を経てフレームチェック部１３に入る。フレームチェック部１３を通過したフレームはバッファ部５に格納される。バッファ部５から読み出されたデータはデータ処理部（図示せず）に送られる。ここで、アドレスチェック部１４は、通常の場合には、自装置へのフレームではないフレームを受信した場合には、フレーム破棄を行なうが、ループ試験実行時には、セレクタ部１８でフレームの折り返しを行ない、フレーム中の発信元アドレスと、自装置のアドレスが一致した場合には、フレーム破棄を行なわない処理を行なう。このようにすることで、ループ試験実行時にも通常のデータ処理を行なうことができる。
【００２４】
図４は本発明の第４の実施の形態例を示すブロック図である。図１と同一のものは、同一の符号を付して示す。図において、１はＬＡＮネットワークからの信号をディジタル信号に変換し、及びディジタル信号をＬＡＮネットワーク信号に変換するＰＨＹ部、２０はＬＡＮネットワークフレームの正常性をチェックするフレームチェック部、３０はＬＡＮネットワークより受信したフレームを格納する受信バッファ部、３１はＬＡＮネットワークへ出力するフレームを格納する送信バッファ部、３２はループ試験実行時は前記受信バッファ部３０内にあるユーザデータを前記送信バッファ部３１にデータ転送を行ない、ＬＡＮネットワークへのデータ送出を行なうセレクタ部である。このように構成された装置の動作を説明すれば、以下の通りである。
【００２５】
通常の動作時には、ＬＡＮネットワークからのフレームはＰＨＹ部１を経てフレームチェック部２０に入り、該フレームチェック部２０でフレームの正常性がチェックされた後、受信バッファ部３０に格納され、該受信バッファ部３０から読み出されたフレームは、フレーム処理部（図示せず）に出ていく。一方、フレーム処理部からのフレームは、セレクタ部３２を介して送信バッファ部３１に格納される。送信バッファ部３１から読み出されたフレームは、ＰＨＹ部１を介してＬＡＮネットワークに出ていく。
【００２６】
ループ試験実行時には、受信バッファ部３０内にあるユーザデータを送信バッファ部３１にデータ転送を行ない、ＬＡＮネットワークへのデータ送出を行なう。
この実施の形態例によれば、ユーザデータのみをセレクタ部３２で折り返し、宛先アドレス及び発信元アドレスは新たにセレクタ３２の出力段で付加されるため、フレーム受信先の端末ではフレーム破棄が行われず、データ処理が行なわれる。
【００２７】
本発明では、図１，図２及び図４に示すように、ループ試験実行時には宛先アドレスと発信元アドレスを入れ替えるようにすることで、宛先アドレスが自装置のアドレスとして返ってくるため、自装置宛のフレームとして認識するようにすなる。従って、ループ試験の場合には、自装置から発信したフレームが自装置に折り返されて返ってきても、フレーム破棄が発生せず、回線障害の切り分けが可能となる。また、図３に示す場合は、フレーム破棄の処理機能を止めることで、フレームが折り返され、回線障害の切り分けが可能となる。
【００２８】
図５はＬＡＮフレーム構成例を示す図である。ＬＡＮネットワークフレーム上の“ＤＡ（Ｄｅｓｔｉｎａｔｉｏｎ  Ａｄｄｅｓｓ）”が宛先ＭＡＣアドレスを示し、“ＳＡ（Ｓｏｕｒｃｅ  Ａｄｄｅｓｓ）”が発信元アドレスを示す。通常のＬＡＮネットワーク上の端末は、受信したフレーム中のＤＡが自装置のＭＡＣアドレスと一致した場合、自装置へのフレームとして認識し、ＳＡにて発信元アドレスを判断し、データ処理を行なう。フレーム構成の内、ＤＡとＳＡの後にはユーザデータが入り、ユーザデータの後にＣＲＣによるフレームチェックシーケンス情報（ＦＣＳ）が入る。
【００２９】
図６はＬＡＮネットワーク装置の受信／送信部の構成例を示すブロック図である。図１と同一のものは、同一の符号を付して示す。図において、１はＬＡＮネットワークから受信した信号をＭＩＩ（Ｍｅｄｉａ  Ｉｎｄｅｐｅｎｄｅｎｔ  Ｉｎｔｅｒｆａｃｅ：ＬＡＮ用ＬＳＩの相互接続インタフェース）信号への変換を行なうＰＨＹ部である。２はＭＩＩ信号に変換されたフレームの長さ及びＦＣＳバイトのチェックを行ない、フレームの正常性を確認し、異常時はフレームの破棄を行なうフレームチェック部である。
【００３０】
４１は受信したフレーム上のＤＡを格納するバッファ部であり、４２はフレームチェック部２の出力とバッファ部４１の出力の何れか一方をセレクトするセレクタ部である。ＳＡを先に送出後、バッファ部４１に格納したＤＡをセレクタ部４２で切り替え、ユーザデータをバッファ部を介して送出することで、ＤＡとＳＡの入れ替えが可能となる。４０はフレームチェック部２より受信フレームを認識したら、カウンタを動作させ、フレーム上のＤＡとＳＡ位置を認識し、セレクタ部４２の切り替え制御を行なうフレームカウンタである。
【００３１】
４３はループ命令を受けて通常データの送出又はセレクタ部４２から出力されるループ試験用データの切り替えを行なうループ用セレクタ部である。ループ試験実行時は、セレクタ部４２から出力されるデータを選択することで、ＤＡとＳＡが入れ替わったフレームを回線側に出力することが可能となる。
【００３２】
上述の実施の形態例では、ＬＡＮネットワークからの受信フレームをバッファ部４１及びセレクタ部４２でＤＡとＳＡを入れ替えて折り返すようにしているが、バッファ部４１及びセレクタ部４２をもう一つ持つことで装置内への折り返しも可能となる。また、バッファ部４１及びセレクタ部４２を送信側のバッファの後段に持つだけで、対向先端末での折り返しも可能となる。
【００３３】
図７は本発明の詳細構成例を示すブロック図である。図において、４５はＬＡＮネットワークから受信したフレームを格納する受信バッファ部であり、自装置への受信フレームかどうかアドレスチェックした後、データ処理用バッファ部４４に転送を行なうものである。４６は受信したフレーム中のＳＡを受信バッファ部４５より読み出し、自装置のＭＡＣアドレスと比較を行ない、一致した場合にはフレーム破棄の条件を生成する発信元アドレス比較部である。
【００３４】
４７は発信元アドレス比較部４６からのパケット破棄条件をマスクし、フレーム破棄無しにするマスク部である。該マスク部４７には、ループ命令が入力されている。４４は受信バッファ部４５より転送されるフレームデータに対して、有効データのみを格納するデータ処理用バッファ部である。
【００３５】
ループ試験実行時に、対向の端末より折り返されてきたデータは発信元アドレスと自装置アドレスが一致し、通常フレーム破棄の条件になるが、ループ試験時にこのフレーム破棄条件をマスク部４７でマスクすることにより、データの処理が可能となる。
【００３６】
図８は本発明の他の詳細構成例を示すブロック図である。図４と同一のものは、同一の符号を付して示す。図において、３０はＬＡＮネットワークから受信したフレームを格納する受信バッファ部である。通常は、フレーム中のアドレスチェック後、データ処理用のバッファ部５１へ転送が行なわれるが、発信元アドレス比較部５０にて受信バッファ部３０から発信元アドレスを読み出し、指定されたＭＡＣアドレスと比較を行ない、一致した場合のフレーム中のユーザデータのみをセレクタ部３２にてデータ切り替えを行ない、送信バッファ部３１へ転送を行なう。
【００３７】
送信バッファ部３１へ転送されたユーザデータに対して、指定されたＭＡＣアドレスを宛先アドレスに、自装置のＭＡＣアドレスを発信元アドレスとして付加し、ＬＡＮネットワークに送出することで、対向先端末でフレーム破棄が行われず、特定のＭＡＣアドレスのみに対してループ試験が可能となる。
【００３８】
上述したように、本発明によれば、ループ試験実行時に、フレーム破棄が働かないため、回線障害時の切り分けが可能となる効果を奏し、回線障害発生時の切り分けを行なう際に早期に障害を検出でき、ネットワークの品質向上に寄与するところが大きい。
【図面の簡単な説明】
【００３９】
【図１】本発明の第１の実施の形態例を示すブロック図である。
【図２】本発明の第２の実施の形態例を示すブロック図である。
【図３】本発明の第３の実施の形態例を示すブロック図である。
【図４】本発明の第４の実施の形態例を示すブロック図である。
【図５】ＬＡＮフレーム構成例を示す図である。
【図６】ＬＡＮネットワーク装置の受信／送信部の構成例を示すブロック図である。
【図７】本発明の詳細構成例を示すブロック図である。
【図８】本発明の他の詳細構成例を示すブロック図である。
【符号の説明】
【００４０】
１  ＰＨＹ部
２  フレームチェック部
３  宛先／発信元アドレス入替部
４  セレクタ部
５  バッファ部
６  バッファ部
７  セレクタ部
【図１】
2005286456.tif 000003
【図２】
2005286456.tif 000004
【図３】
2005286456.tif 000005
【図４】
2005286456.tif 000006
【図５】
2005286456.tif 000007
【図６】
2005286456.tif 000008
【図７】
2005286456.tif 000009
【図８】
2005286456.tif 000010